(57)【要約】  【課題】  ドア枠や沓摺りの加工・取り付け公差があってもドアが完全に閉じられた状態でのみシール体を下降させることができるスライドドアを提供する。  【解決手段】  ドアパネル２０の下縁には封止機構５０が設けられている。封止機構５０は、ドアパネル２０の下縁に沿って延びるパッキン６５と、沓摺り１０上を転動する、パッキン６５と連結されたローラ組立体７０とを有する。ローラ組立体７０は、長孔７９で封止機構５０に対してドアのスライド方向に移動可能である。沓摺り１０上には、ドア閉止時にローラ組立体７０のローラ７１が落ち込む凹部１３が形成されている。ドアや沓摺り１０の取付け、加工誤差によって、ローラ７１と凹部１３の相対位置がずれていた場合でも、ローラ７１の位置をドアのスライド方向に調整できるので、ドア閉止時にちょうどローラ７１が凹部１３に入るようにすることができる。【選択図】  図１
2005054397.tif 000002
【特許請求の範囲】
【請求項１】
パネル状のドア本体（ドアパネル）と、
該ドアパネルの上部に取り付けられた該ドアパネルを吊ってレール上を移動可能な戸車と、
前記ドアパネルの下縁に対向して延びる、建物床に固定される沓摺りと、
前記ドアパネル下縁部に設けられた、ドア閉止時に該パネル下縁と前記沓摺りとの間を封止するシール機構と、
を具備するエアタイト式（セミエアタイト式含む）のスライドドアであって、
前記シール機構が、
前記ドアパネル下縁部に沿って延びるシール部材（パッキン）と、
該シール部材を上下に案内するとともに下方に付勢する機構と、
前記沓摺り上を転動する、前記シール部材と連結されたローラと、を有し、
前記沓摺り上に、ドア閉止時に前記ローラが落ち込む凹部が形成されており、
前記ドアパネルの閉止時には、前記ローラが前記凹部へ落ち込むとともに前記シール部材が下方に付勢され、該シール部材が前記沓摺りの上面に押し付けられて前記ドアパネルの下縁と前記沓摺りとの間を封止し、
ドアのスライド方向に前記ローラの取り付け位置が調整可能とされていることを特徴とするスライドドア。
【発明の詳細な説明】
【技術分野】
【０００１】
本発明は、スライド式のドア（引き戸）に関する。特には、ドアが閉じられた状態において、ドアの下縁と床面とのスキマを密閉できるエアタイト式のスライドドアに関する。なお、ここでエアタイトとは厳格な気密性を意味するわけではなく、空気の流通が相当程度制限されるもの（セミエアタイト）を含む意味である。
【背景技術】
【０００２】
セミエアタイト式のスライドドアは、部屋内の気密性が求められる、食品関連事業や医療機関、ＩＴ関連事業等の実験室や病室等の出入り口に設置されている。このようなスライドドアは、パネル状のドア本体が上戸車から吊り下げられており、上戸車がレール上を移動して開位置と閉位置とをスライドするものが多い。そして、スライド動作時に、ドア本体の下縁は建物床に固定された沓摺りに沿って移動するが、動作中はドア本体下縁と沓摺り間にはスキマがある。そして、ドアが閉じられた際に、ドア本体の下縁と沓摺りとの間がシール機構によって封止される。
【０００３】
このシール機構として、ドア本体の下縁に、上下に移動可能なシール体を備えたものが一般的である。シール体には、対をなす磁石の作用で上下に移動するものがある（例えば、特許文献１参照）。シール体は、ドアの開き時は、磁石の作用によって上方の待機位置に保持されており、ドアが閉じられると、下レールに固定されたストッパーによって磁石間の吸着（あるいは反発）が解除されて下降し、ドア本体の下縁と沓摺りとの間を封止する。
あるいは、シール枠（シール体）とともに、ドア本体の下縁に、ドアの移動方向に移動可能なスライド枠を設けたものがある（例えば、特許文献２参照）。ドアが閉じられると、スライド枠は床面に立設されたガイドピンに当接して停止し、その後ドア本体とスライド枠とが相対的に移動して、シール枠がカム機構によって下降する。
【０００４】
シール体が下降すると、シール体の下縁に設けられているパッキンが沓摺りの上面に押し付けられて、ドア本体の下縁と沓摺りとのスキマを封止する。
【０００５】
【特許文献１】特開平８−３０３１３９号公報
【特許文献２】特開平１０−２２０１２３号公報
【発明の開示】
【発明が解決しようとする課題】
【０００６】
このようなスライドドアは、ドアが完全に閉められたときのみに、シール体が下降するものであることが多い。そして、ドアを開け始めたらすぐにシール体が上昇してパッキンの押し付けが解除されることが理想的である。このようであれば、ドアの開閉動作開始時のパッキンと沓摺りとの摩擦抵抗によって使用者が感じる重さを極力低減できる。
【０００７】
このためには、ドアが完全に閉じられた位置でシール体を下降させるための部材（上述の例ではストッパーやガイドピン）の位置が確定されていなければならない。このようなストッパー等は、建物やドア周りの構造体（建物や床面に固定されたドア枠や沓摺り）に設けられるものであるが、構造体は建物への取り付けや加工に、２〜３ｍｍの公差をもつ場合がある。このように公差があると、構造体に設けられたストッパーやガイドピンの位置がずれて、ドアが完全に閉止されていない状態でシール体が下降するような場合が起こりうる。その場合は、ドアの開閉動作開始時にパッキンと沓摺りとの摩擦抵抗によって使用者が重さを感じる。
【０００８】
ドア枠や沓摺り等の加工・取り付け公差を考慮した上で、ドアが完全に閉止した状態でのみシール体が下降するという点に着目したスライドドアは、現在までに存在しない。
そこで、本発明は、構造がより簡単であって、ドア枠や沓摺りの加工・取り付け公差があってもドアが完全に閉じられた状態でのみシール体を下降させることができ、より密閉性を高めることのできるスライドドアを提供することを目的とする。
【課題を解決するための手段】
【０００９】
本発明は、上記の問題点に鑑みてなされたものであって、  パネル状のドア本体（ドアパネル）と、  該ドアパネルの上部に取り付けられた連結された該ドアパネルを吊ってレール上を移動可能な戸車と、  前記ドアパネルの下縁に対向して延びる、建物床に固定される沓摺りと、  前記ドアパネル下縁部に設けられた、ドア閉止時に該パネル下縁と前記沓摺りとの間を封止するシール機構と、を具備するエアタイト式（セミエアタイト式含む）のスライドドアであって、  前記シール機構が、  前記ドアパネル下縁部に沿って延びるシール部材（パッキン）と、  該シール部材を上下に案内するとともに下方に付勢する機構と、  前記沓摺り上を転動する、前記シール部材と連結されたローラと、を有し、  前記沓摺り上に、ドア閉止時に前記ローラが落ち込む凹部が形成されており、  前記ドアパネルの閉止時には、前記ローラが前記凹部へ落ち込むとともに前記シール部材が下方に付勢され、該シール部材が前記沓摺りの上面に押し付けられて前記ドアパネルの下縁と前記沓摺りとの間を封止し、  ドアのスライド方向に前記ローラの取り付け位置が調整可能とされていることを特徴とする。
【発明の効果】
【００１０】
本発明によれば、ドアや沓摺りの取付け、加工誤差によって、シールローラと沓摺り凹部の相対位置がずれていた場合でも、ローラの位置をドアのスライド方向に調整できるので、ドア閉止時にちょうどローラが確実に凹部に入るようにすることができる。沓摺りや凹部の位置は、いったん沓摺りが設置された後では変更しにくいが、ローラの位置は比較的簡単に調整できるような機構を設けることができる。このようにすることにより、取付け、加工誤差によって沓摺りや凹部、ローラの位置がずれていた場合も、ドア閉時に確実に封止することができる。また、完閉にごく近い状態でのみシール機構が沓摺りと当たるので、ドアが開き始めたらすぐにシール機構が沓摺りから離れて抵抗がなくなり、開閉動作が楽なセミエアタイト式のスライドドアを提供できる。
【発明を実施するための形態】
【００１１】
以下、図面を参照しつつ説明する。
図１は、本発明の実施の形態に係るスライドドアの閉止時の封止機構の状態を示す正面図である。本図は、封止機構部のパネルを破断した状態を見た図である。
まず、スライドドア全体の取り付け状態と構造を簡単に説明する。
図２は、スライドドアが取り付けられた状態を示す図であり、図２（Ａ）は正面図、図２（Ｂ）は断面図である。
パネル状のドア本体（ドアパネル）２０は、壁Ｗの一面（手前側の面、他方の面を奥側の面とする）に設けられた左右のドア枠１Ｌ、１Ｒ間をスライドして、壁Ｗに開けられた開口（出入り口）Ｄを開閉する。開口Ｄの左右端は、各々左右開口枠２Ｌ、２Ｒで画されており、上下端は、各々上下開口枠で画されている。左開口枠２Ｌと左ドア枠１Ｌは、一体に形成されている。これらの枠はスチール鋼板やステンレス鋼板、アルミニウム板で作製される。
左右のドア枠１Ｌ、１Ｒの上端間にはレールカバー３が掛け渡されている。同カバー内には、ドアパネル２０のスライド方向に延びるレールが配置されている（詳細後述）。左右のドア枠１Ｌ、１Ｒの下端間の建物床Ｆ上には、沓摺り１０が敷設されている。
【００１２】
詳細には後述するように、ドアパネル２０の上縁には戸車が取り付けられており、下縁には上下に移動可能な封止機構（シール機構）が配置されている。ドアパネル２０の上端の戸車がレール上を走ることでドアパネル２０が左右ドア枠１Ｌ、１Ｒ間をスライド移動する。このとき、ドアパネル２０下縁の封止機構は沓摺り１０上を移動する。ドアパネル２０の戸先側の手前側の面と奥側の面には、各々取っ手２１が設けられている。
【００１３】
次に、ドアパネル２０の左右縁におけるシール構造を説明する。
図３は、ドア閉止時のドアパネルの状態を示す平面断面図である。
ドアパネル２０は、方形のフレーム２３を有し、内部には、ハニカム材や発泡ウレタン等のコア２５が充填されている。フレーム２３の表面は表面材２７で覆われている。ドアパネル２０の戸先側（図の左側）の側面には、同パネルの高さ方向にわたって硬質樹脂２９が嵌め込まれている。この硬質樹脂２９の外側には同パネルの高さ方向にわたって戸当りゴム（軟質樹脂）３１が配置されている。戸当りゴム３１は、図に示すように断面がほぼ半円形の中空の部材である。ドアが閉められると、戸当りゴム３１は左ドア枠１Ｌに当たる。このとき、戸当りゴム３１は押しつぶされるように変形して、ドアが閉められたときの衝撃を吸収するとともに、左ドア枠１Ｌとドアパネル２０の左側面との間をシールする。
また、ドアパネル２０の戸じり側（図の右側）の奥側の面には、アルミフラットバー３３が、同パネルの高さ方向にわたって固定されている。
【００１４】
左開口枠２Ｌの手前側の面には、開口の高さ方向にわたって弾性部材５Ｌが配置されている。そして、弾性部材５Ｌの手前側の面には、開口の高さ方向にわたってシール部材６Ｌが配置されている。また、右開口枠２Ｒの手前側の面にも、開口の高さ方向にわたって弾性部材５Ｒが配置されている。そして、この弾性部材５Ｒの手前側の面にも、開口の高さ方向にわたってシール部材６Ｒが配置されている。各シール部材６には、手前方向に突き出た突片７Ｌ、７Ｒが設けられている。
【００１５】
ドアが閉じられると、ドアパネル２０の戸先側の戸当りゴム３１は左ドア枠１Ｌに当り、同パネルの左側面と左ドア枠間をシールする。さらに、戸当りゴム３１の奥側の面には、左開口枠２Ｌに設けられたシール部材６Ｌの突片７Ｌが当り、同パネルと左開口枠との間をシールする。一方、ドアパネル２０のアルミフラットバー３３には、右開口枠２Ｒに設けられたシール部材６Ｒの突片７Ｒが当り、同パネルの右端部と右開口枠との間をシールする。
【００１６】
このような構造により、ドアが閉じられたとき、ドアパネル２０の左右縁は、戸当りゴム３１とアルミフラットバー３３の部分で左右のシール部材６によってシールされる。
【００１７】
次に、ドアパネル２０の上下縁の構造を詳細に説明する。
最初に、ドアパネル上縁の構造について説明する。
図４は、ドアパネル上縁の構造を示す縦断面図である。
ドアパネル２０の上端面の左右端部付近には、２つの戸車取付け用ブラケット３５が固定されている。各戸車取付け用ブラケット３５は、断面がＬ字型で、一方の片がドアパネル上端面に高さ調整スペーサ３７を介してビス３９で固定されており、他方の片がドアパネル２０の面と平行に上方に延びている。この上方に延びる片には、上戸車４１がボルト４３とナット４５によって回転可能に取り付けられている。
【００１８】
左右ドア枠上端の上方の壁面Ｗには、レールフレーム８が固定されている。このレールフレーム８には、ドアのスライド方向に水平に延びるレール９が設けられている。このレール９上をドアパネル２０の上戸車４１が走る。ドアパネル２０は上戸車４１でレール９から吊られた状態で支持され、同戸車４１がレール９上を走ることでスライド移動する。
レールフレーム８及びドアパネル２０の上縁はレールカバー３で覆われている。
【００１９】
上開口枠４Ｔの手前側の面には、弾性部材５Ｔが開口Ｄの幅にわたって配置されている。そして、この弾性部材５Ｔの手前側の面には、シール部材６Ｔが配置されている。シール部材６Ｔには、手前側に突き出た突片７Ｔが設けられている。ドアが閉じられると、ドアパネル２０の奥側の面の上端にシール部材６Ｔの突片７Ｔが当り、同パネルと上開口枠との間をシールする。
【００２０】
次に、ドアパネル下縁の封止機構について説明する。
まず、沓摺り１０の構造を説明する。
図５は、沓摺りの構造を示す図であり、図５（Ａ）は平面図、図５（Ｂ）は正面図である。
沓摺り１０は、コの字型に折り曲げられた中空の部材で、例えばステンレス鋼板等で作製される。沓摺り１０は、コの字の開口を下向きとして床面上の左右のドア枠間を延びており、４ないし６箇所でブラケット１１によって建物床Ｆに固定されている。沓摺り１０の上面の２箇所には、凹部１３−１、１３−２が形成されている。この凹部１３の位置は、ドアパネル２０が完全に閉じられたときに、同パネル２０の封止機構のローラ（詳細後述）が達する位置である。凹部１３の底面は、沓摺りの長さ方向にやや長い方形であり、底面の周囲の側面は、底面から沓摺りの上面に向かって徐々に上方に傾斜している。一例で、凹部１３の深さＤは３．５ｍｍ、底面のスライド方向長さＬ１は１８ｍｍ、スライド方向側の両側面の長さＬ２は１０ｍｍである。
【００２１】
沓摺り１０の上面の、両凹部１３の間には、ドアパネル２０のスライドを案内するガイドローラ１５が配置されている。ガイドローラ１５は、沓摺りの上面からドアの高さ方向に立設された軸１７の周囲を回転する。
【００２２】
次に、封止機構５０について説明する。
図６は、封止機構単体の構造を説明する図であり、図６（Ａ）は平面図、図６（Ｂ）は正面図である。
図７は、図６の封止機構のローラの構造を示す図であり、図７（Ａ）は正面図、図７（Ｂ）は側面図である。
図８は、図６の封止機構がドアパネルに取り付けられた状態を説明する図であり、図８（Ａ）はＩ−Ｉ断面図、図８（Ｂ）はII−II断面図である。
図８（Ａ）、（Ｂ）に示すように、この例のドアにおいては、ドアパネル２０が上戸車４１でレール９から吊り下げられた状態であり、同パネルの下縁は沓摺り１０から浮いた状態である。そして、ドアパネル２０の下縁に設けられた封止機構５０がドア閉時のみ下がって沓摺り１０に当たる。
【００２３】
図８に示すように、ドアパネル２０の下端面には、同パネルの幅にわたってチャンネル４９が形成されている。封止機構５０は、このチャンネル４９内の奥側（図の右側）の壁に沿って、ドアパネル２０の幅方向にわたって配置されている。封止機構５０は、チャンネル内に固定された固定部材５１と、同固定部材５１に対して上下に移動可能に設けられた移動部材５３を有する。固定部材５１の長さは、移動部材５３の長さより短く、図６にも示すように、移動部材５３の両端部５３ａは固定部材の両端から突き出ている。
【００２４】
図８（Ａ）に示すように、固定部材５１は、ドアパネル２０のチャンネル４９内の奥側の壁に接して配置されて、チャンネル４９の上端面にビス５５で固定されている。固定部材５１の下面には、同部材の長さ方向にわたってチャンネル５７が形成されている。移動部材５３はこのチャンネル５７内に配置されて、固定部材５１の左右端付近でボルト６１によって固定部材５１に取り付けられている。ボルト６１は、ドアパネル２０のコア２５から固定部材５１のチャンネル５７に挿通され、その下端が移動部材５３の上端面に螺合している。これにより、移動部材５３は、固定部材５１のチャンネル５７内をボルト６１に案内されて上下方向に移動する。チャンネル５７内において、チャンネル５７の上端面と移動部材５３の上面との間のボルト６１の外周には、バネ６３が通されている。このバネ６３は移動部材５３を固定部材５１に対して下方に付勢している。
【００２５】
移動部材５３の下端面には、同部材の長さ方向（ドアパネルの幅方向）にわたって、パッキン（シール部材）６５が取り付けられている。パッキン６５は、図８に示すように、断面がほぼ円形の中空状で、奥側と手前側には、移動部材の長さ方向にわたって突片６７が設けられている。パッキン６５は上下方向から押圧されると図の左右方向に押しつぶされる。
【００２６】
図６に分かりやすく示すように、移動部材５３の左右両端付近（固定部材の両端から突き出た部分）５３ａには、沓摺り上を走るローラ組立体７０が取り付けられている。図７に示すように、ローラ７１はブラケット７３から延びる軸７５の周囲を回動可能に取り付けられている。ローラ７１の径は、一例で２３ｍｍである。ローラ７１の上半分は、ブラケット７３に固定されたケーシング７７で覆われている。ブラケット７３の上部には、横方向（ドアのスライド方向）に延びる２つの長孔７９が形成されている。ローラ組立体７０は、これらの長孔７９で移動部材５３の左右両端付近５３ａにビス８１（図６参照）で取り付けられる。このとき、ローラ組立体７０の移動部材５３に対するスライド方向の位置は、長孔７９の長さの分だけ調整可能である（詳細後述）。
【００２７】
このような構造により、移動部材５３は固定部材５１のチャンネル５７内（ドアパネルのチャンネル内）を上下に移動可能である。そして、ローラ組立体７０は、ドアパネル２０の幅方向に長孔７９の長さの分だけ調整可能である。
【００２８】
なお、図８に示すように、ドアパネル２０のチャンネル４９内の固定部材の手前側は空間となっている。この空間内には、沓摺り１０から立設するガイドローラ１５が入り込む。ガイドローラ１５の直径とこの空間の幅はほぼ等しい。そして、ドアがスライド動作する際に、ドアパネル２０は、ガイドローラ１５によって前後方向（ドアの厚さ方向）にぶれることなくスライド方向にまっすぐに案内される。
【００２９】
次に、ドアのスライド時及び閉止時の封止機構の動きについて、図８を参照して説明する。
ドアのスライド時は、図８（Ａ）に示すように、ドアパネル２０の下端と沓摺り１０の上面との間にはある幅（一例で７ｍｍ）のスキマＳ１が開いている。そして、移動部材５３はバネ６３で下方向に付勢されており、各ローラ７１（図８（Ａ）には図示されず）は沓摺り１０の上面に当って、同面上を転動している。このとき、移動部材５３の下端面に取り付けられたパッキン６５の下面と沓摺り１０の上面との間にも、ある幅（一例で２ｍｍ）のスキマＳ２が開いている。スライド動作中、ドアパネル２０は、ガイドローラ１５によって前後方向にぶれることなくスライド方向にまっすぐにガイドされる。
【００３０】
図１を参照して、本発明の実施の形態に係るスライドドアの閉止時の封止機構について説明する。本図は、封止機構部のパネルを破断した状態を見た図である。
ドアの閉止位置で、ドアパネル２０の２つのローラ７１が沓摺り１０の各凹部１３上に至ると、各ローラ７１は各凹部１３に落ち込む。すると、図８（Ｂ）にも示すように、バネ６３で下方向に付勢されている移動部材５３は、固定部材５１に対して、すなわち、ドアパネル２０に対して凹部１３の深さだけ下降する。凹部１３の深さ（３．５ｍｍ）は、移動部材５３の下端面に取り付けられているパッキン６５の下面と沓摺り１０上面とのスキマＳ２の幅（２ｍｍ）よりも大きいため、ローラ７１が凹部１３に落ち込むと、パッキン６５は沓摺り１０上面に押し付けられる。するとパッキン６５は沓摺り１０上面で押しつぶされて変形し、ドアパネル２０の下端と沓摺り１０の上面との間をシールする。このとき、パッキン６５は沓摺り１０上面との接触面だけでなく、パッキン６５の両突片６７も接触面の手前側と奥側で沓摺り１０の上面に押し付けられるため、より密閉性が向上する。
【００３１】
ところが、沓摺り１０の各凹部１３とドアパネル２０の各ローラ７１の位置がずれていると、ドアが完全に閉止できないことがある。また、閉止されても、ドアパネル２０の一方のローラ７１が沓摺りの凹部１３に完全には落ち込まず、例えば、傾斜した側面上に載った状態となることもある。すると、移動部材５３が完全に下降せず、パッキン６５が沓摺り１０の上面に達しなかったり、パッキン６５の沓摺りへの押し付け力が十分でなくなり、ドアパネル２０の下端と沓摺りの上面にスキマが開いて、十分な密閉性が得られなくなる。
【００３２】
このような不具合に対して、凹部１３の底面のスライド方向長さに余裕を持たせて、沓摺り１０の位置ズレを吸収することもできる。しかし、こうすると、ドアパネル２０のローラ７１が凹部１３内で動いてしまい、ドアが完全に閉止されなくなるおそれがある。さらに、ドアの開閉動作を開始・完了する際に、パッキン６５が沓摺り１０に押し付けられたまま引きずられる長さが長くなってしまい、パッキン６５と沓摺り１０との摩擦抵抗による重さを感じるストロークが長くなってしまう。
【００３３】
そこで、本発明のスライドドアにおいては、このように沓摺りの凹部の位置がずれていた場合、ドアパネル２０のローラ７１のスライド方向位置を調整する。つまり、図１に示すように、ローラ組立体７０は上述のように、封止機構５０に対して長孔７９の長さ分だけスライド方向に移動可能となっている。このため、例えば、スライドドアを設置する際に、ドアを完全に閉止した状態において、沓摺り１０の各凹部１３の位置と、ドアパネル２０の各ローラ７１の位置とが合うように、ローラ組立体７０の位置を長孔７９内で予め調整しておく。沓摺り１０の位置や沓摺り上の凹部１３の位置は容易には変更できないが、この方法によると各ローラ７１の位置を独立して容易に調整することができる。ローラ７１の調整可能長さ（長孔７９の有効長さ）は、例えば、−３〜＋３ｍｍである。
【００３４】
なお、ドア閉止時には、ローラ７１は凹部１３内でスライド方向及び前後方向にはほとんど移動しない。そして、ドアを開ける際は、ローラ７１は凹部１３の傾斜した側面を通って沓摺り１０上に移動するため、傾斜面に沿って小さい力でドアを移動させることができる。さらに、ローラ７１が凹部１３から外れるとすぐにパッキン６５が沓摺り１０の上面から浮くため、使用者がパッキン６５と沓摺り１０間の摩擦力を感じるストロークが短い。
【図面の簡単な説明】
【００３５】
【図１】本発明の実施の形態に係るスライドドアの閉止時の封止機構の状態を示す正面図である。
【図２】スライドドアが取り付けられた状態を示す図であり、図２（Ａ）は正面図、図２（Ｂ）は断面図である。
【図３】ドア閉止時のドアパネルの状態を示す平面断面図である。
【図４】ドアパネル上縁の構造を示す縦断面図である。
【図５】沓摺りの構造を示す図であり、図５（Ａ）は平面図、図５（Ｂ）は正面図である。
【図６】封止機構単体の構造を説明する図であり、図６（Ａ）は平面図、図６（Ｂ）は正面図である。
【図７】図６の封止機構のローラの構造を示す図であり、図７（Ａ）は正面図、図７（Ｂ）は側面図である。
【図８】図６の封止機構がドアパネルに取り付けられた状態を説明する図であり、図８（Ａ）はＩ−Ｉ断面図、図８（Ｂ）はII−II断面図である。
【符号の説明】
【００３６】
１    ドア枠                      ２  開口枠
３    レールカバー                ４    上開口枠
５    弾性部材                    ６    シール部材
７    突片                        ８    レールフレーム
９    レール                    １０  沓摺り
１１    ブラケット                １３  凹部
１５  ガイドローラ                １７  軸
２０    ドアパネル                ２１  取っ手
２３    フレーム                  ２５    コア
２７    表面材                    ２９    硬質樹脂
３１    ゴム                      ３３    アルミフラットバー
３５    ブラケット                ３７    高さ調整スペーサ
３９    ビス                      ４１    上戸車
４３    ボルト                    ４５    ナット
４９    チャンネル
５０    封止機構                  ５１  固定部材
５３    移動部材                  ５５    ビス
５７    チャンネル                ６１    ボルト
６３    バネ                      ６５    パッキン
６７    突片
７０    ローラ組立体              ７１    ローラ
７３    ブラケット                ７５    軸
７７    ケーシング                ７９    長孔
８１    ビス
【図１】
2005054397.tif 000003
【図２】
2005054397.tif 000004
【図３】
2005054397.tif 000005
【図４】
2005054397.tif 000006
【図５】
2005054397.tif 000007
【図６】
2005054397.tif 000008
【図７】
2005054397.tif 000009
【図８】
2005054397.tif 000010